(57)【要約】【課題】ルームユニットの壁パネルの裏側にデッドスペースを生じさせることなく衛生機器を床から浮かした状態で支持できるとともに壁パネル設置後も位置調整を行うことができる衛生機器装置及び施工方法を提供すること。【解決手段】便器装置（衛生機器装置）１００は、床スラブ１０に固定される架台固定部６０と、浴室パネル９１の室内側で架台固定部６０から上方に延出する架台スタンド７０と、架台スタンド７０によって床部２０の上方で支持される壁掛け便器（衛生機器）７と、を備える。【選択図】図９
2019090182.tif 000002
【特許請求の範囲】
【請求項１】
床スラブに固定される床部及び前記床スラブの上方に設置される壁パネルを有するルームユニットに配置される衛生機器装置であって、
前記床部の下方で前記床スラブに固定される架台固定部と、
前記壁パネルの室内側で前記架台固定部から上方に延出する架台スタンドと、
前記架台スタンドによって前記床部の上方で支持される衛生機器と、
を備える衛生機器装置。
【請求項２】
前記床部には開口部が形成され、
前記架台固定部は、前記開口部の下側に配置され、
前記架台スタンドは、前記架台固定部から前記開口部を挿通して前記床部の上方に突出する請求項１に記載の衛生機器装置。
【請求項３】
前記架台固定部と前記架台スタンドは別体として構成され、
前記架台固定部によって前記架台スタンドが支持される請求項１又は２に記載の衛生機器装置。
【請求項４】
前記架台スタンドの底部には、前記衛生機器が前記架台スタンドに接続される方向と同じ方向に延びる締結孔が形成され、
前記架台スタンドは、前記締結孔に締結される締結部材によって前記架台固定部に固定される請求項３に記載の衛生機器装置。
【請求項５】
前記架台スタンドの上方に位置する天板及び前記架台スタンドの前側を覆う前板を少なくとも有するカウンターと、
前記架台スタンドに固定され、前記前板を貫通して前記カウンターの外側で前記衛生機器を支持する支持部材と、
を備える請求項１から４の何れかに記載の衛生機器装置。
【請求項６】
床スラブに固定される床部と、
前記床スラブの上方に設置される壁パネルと、
前記床部の下方で前記床スラブに固定される架台固定部と、
前記壁パネルの室内側で前記架台固定部から上方に延出する架台スタンドと、
前記架台スタンドによって前記床部の上方で支持される衛生機器と、
を備えるルームユニット。
【請求項７】
床スラブに固定される床部及び前記床スラブの上方に設置される壁パネルを有するルームユニットに配置される衛生機器装置の施工方法であって、
前記床スラブに架台固定部を設置する工程と、
前記床スラブに前記床部を設置する工程と、
前記床部における前記架台固定部の背面側に前記壁パネルを設置する工程と、
前記壁パネルの室内側で上方に延出するように前記架台固定部に架台スタンドを固定する工程と、
前記架台スタンドによって前記床部の上方で衛生機器を支持させる工程と、
を含む衛生機器装置の施工方法。
【請求項８】
前記壁パネルを設置する工程の後に、前記架台固定部に対する前記架台スタンドの位置調整を行う工程を含む請求項７に記載の衛生機器装置の施工方法。
【請求項９】
床スラブの上方に設置される壁パネル、前記壁パネルの室内側で前記床スラブに固定される床部及び衛生機器装置を有するルームユニットの施工方法であって、
前記床スラブに架台固定部を設置する工程と、
前記床スラブに前記床部を設置する工程と、
前記床部における前記架台固定部の背面側に前記壁パネルを設置する工程と、
前記壁パネルの室内側で上方に延出するように前記架台固定部に架台スタンドを固定する工程と、
前記架台スタンドによって前記床部の上方で衛生機器を支持させる工程と、
を含むルームユニットの施工方法。
【発明の詳細な説明】
【技術分野】
【０００１】
本発明は、床から浮かした状態で衛生機器を支持する衛生機器装置に関する。
【背景技術】
【０００２】
従来、床から浮かした状態で支持される壁掛け便器等の衛生機器が知られている。この種の技術を開示するものとして特許文献１がある。特許文献１には、床から浮かして設置される大便器を支持する架台と、架台と大便器の下方に位置し架台を立設する取付けプレートとを備え、取付けプレートの下面には取付けプレートの高さを変えられる高さ調整手段を備える設置構造について記載されている。
【先行技術文献】
【特許文献】
【０００３】
【特許文献１】特開２０１４−７０４３１号公報
【発明の概要】
【発明が解決しようとする課題】
【０００４】
浴室ユニット等のルームユニットにおいて、壁パネルに大便器等の衛生機器を支持する強度がない場合でも、床スラブに大便器を支持する架台をアンカー固定することで、浴室ユニットの外側から便器を支持することができる。しかし、浴室ユニットの外側から便器を支持する場合、壁パネルの裏側に架台を配置するためのスペースが必要となったり、架台をコンクリートに埋め込む工程が生じたりしてしまう。また、壁パネルの裏側で便器を支持する構造では、浴室ユニットの施工工程において架台の設置後、床部（床パン）や壁パネルを組み立てる順番となるが、この方法では壁パネルを設置した後に架台の位置調整を行うことができないため、架台の取付工程を厳密に行う必要があった。
【０００５】
本発明は、ルームユニットの壁パネルの裏側にデッドスペースを生じさせることなく衛生機器を床から浮かした状態で支持できるとともに壁パネル設置後も位置調整を行うことができる衛生機器装置及び施工方法を提供することを目的とする。
【課題を解決するための手段】
【０００６】
本発明は、床スラブ（例えば、後述の床スラブ１０）に固定される床部（例えば、後述の床部２０）及び前記床スラブの上方に設置される壁パネル（例えば、後述の浴室パネル９１）を有するルームユニット（例えば、後述の浴室ユニット１）に配置される衛生機器装置（例えば、後述の便器装置１００）であって、前記床部の下方で前記床スラブに固定される架台固定部(例えば、後述の架台固定部６０)と、前記壁パネルの室内側で前記架台固定部から上方に延出する架台スタンド（例えば、後述の架台スタンド７０）と、前記架台スタンドによって前記床部の上方で支持される衛生機器（例えば、後述の壁掛け便器７）と、を備える衛生機器装置に関する。
【０００７】
前記床部には開口部（例えば、後述の開口部２５）が形成され、前記架台固定部は、前記開口部の下側に配置され、前記架台スタンドは、前記架台固定部から前記開口部を挿通して前記床部の上方に突出することが好ましい。
【０００８】
前記架台固定部と前記架台スタンドは別体として構成され、前記架台固定部によって前記架台スタンドが支持されることが好ましい。
【０００９】
前記架台スタンドの底部には、前記衛生機器が前記架台スタンドに接続される方向と同じ方向に延びる締結孔（例えば、後述の締結孔７５）が形成され、前記架台スタンドは、前記締結孔に締結される締結部材（例えば、後述の締結部材５１）によって前記架台固定部に固定されることが好ましい。
【００１０】
前記衛生機器装置は、前記架台スタンドの上方に位置する天板（例えば、後述の天板９３）及び前記架台スタンドの前側を覆う前板（例えば、後述の前板９２）を少なくとも有するカウンター（例えば、後述のカウンター９）と、前記架台スタンドに固定され、前記前板を貫通して前記カウンターの外側で前記衛生機器を支持する支持部材（例えば、後述の支持部材８０）と、を備えることが好ましい。
【００１１】
また、本発明は、床スラブ（例えば、後述の床スラブ１０）に固定される床部（例えば、後述の床部２０）と、前記床スラブの上方に設置される壁パネル（例えば、後述の浴室パネル９１）と、前記床部の下方で前記床スラブに固定される架台固定部(例えば、後述の架台固定部６０)と、前記壁パネルの室内側で前記架台固定部から上方に延出する架台スタンド（例えば、後述の架台スタンド７０）と、前記架台スタンドによって前記床部の上方で支持される衛生機器（例えば、後述の壁掛け便器７）と、を備えるルームユニット（例えば、後述の浴室ユニット１）に関する。
【００１２】
また、本発明は、床スラブ（例えば、後述の床スラブ１０）に固定される床部（例えば、後述の床部２０）及び前記床スラブの上方に設置される壁パネル（例えば、後述の浴室パネル９１）を有するルームユニット（例えば、後述の浴室ユニット１）に配置される衛生機器装置（例えば、後述の便器装置１００）の施工方法であって、前記床スラブに架台固定部（例えば、後述の架台固定部６０）を設置する工程と、前記床スラブに前記床部を設置する工程と、前記床部における前記架台固定部の背面側に前記壁パネルを設置する工程と、前記壁パネルの室内側で上方に延出するように前記架台固定部に架台スタンド（例えば、後述の架台スタンド７０）を固定する工程と、前記架台スタンドによって前記床部の上方で衛生機器（例えば、後述の壁掛け便器７）を支持させる工程と、を含む衛生機器の施工方法に関する。
【００１３】
前記衛生機器装置の施工方法は、前記壁パネルを設置する工程の後に、前記架台固定部に対する前記架台スタンドの位置調整を行う工程を含んでもよい。
【００１４】
床スラブ（例えば、後述の床スラブ１０）に固定される床部（例えば、後述の床部２０）、前記床スラブの上方に設置される壁パネル（例えば、後述の浴室パネル９１）及び前記壁パネルの室内側で前記床スラブに固定される衛生機器装置（例えば、後述の便器装置１００）を有するルームユニット（例えば、後述の浴室ユニット１）の施工方法であって、前記床スラブに架台固定部（例えば、後述の架台固定部６０）を設置する工程と、前記床スラブに前記床部を設置する工程と、前記床部における前記架台固定部の背面側に前記壁パネルを設置する工程と、前記壁パネルの室内側で上方に延出するように前記架台固定部に架台スタンド（例えば、後述の架台スタンド７０）を固定する工程と、前記架台スタンドによって前記床部の上方で衛生機器（例えば、後述の壁掛け便器７）を支持させる工程と、を含むルームユニットの施工方法に関する。
【発明の効果】
【００１５】
本発明によれば、壁パネルの裏側にデッドスペースを生じさせることなく衛生機器を床から浮かした状態で支持できるとともに壁パネル設置後も位置調整を行うことができる。
【図面の簡単な説明】
【００１６】
【図１】本発明の一実施形態に係る便器装置が適用される浴室ユニットの構成を示す図である。
【図２】本実施形態の便器装置が適用される浴室ユニットの断面図である。
【図３】本実施形態の大便器を支持する架台をカウンターの内側から見た状態を示す図であり、図２のＡ−Ａ線断面図である。
【図４】本実施形態の架台の平面図である。
【図５】本実施形態の架台の正面図である。
【図６】本実施形態の架台の側面図である。
【図７】本実施形態の架台の分解斜視図である。
【図８】本実施形態の架台が備えるスタンドの平面図である。
【図９】本実施形態の架台が床部に設置された状態を示す斜視図である。
【図１０】本実施形態の架台を覆うカウンター内部の排水管の様子を浴室ユニットの裏側から見た図である。
【図１１Ａ】本実施形態の架台の架台固定部を排水管の位置に合わせて設置する様子を示す模式図である。
【図１１Ｂ】本実施形態の架台の架台固定部を床スラブに固定する様子を示す模式図である。
【図１１Ｃ】本実施形態の架台の架台固定部の上方に床部を設置する様子を示す模式図である。
【図１１Ｄ】本実施形態の架台の架台固定部に床部を固定する様子を示す模式図である。
【図１１Ｅ】本実施形態の架台の架台固定部の壁側に浴室パネルを配置する様子を示す模式図である。
【図１１Ｆ】本実施形態の架台の架台固定部に架台スタンドを載置する様子を示す模式図である。
【図１１Ｇ】本実施形態の架台の架台固定部に架台スタンドを締結固定する様子を示す模式図である。
【図１１Ｈ】本実施形態の架台を覆うようにカウンターの天板及び前板を設置する様子を示す模式図である。
【図１１Ｉ】本実施形態の架台の架台スタンドに便器を設置する様子を示す模式図である。
【図１１Ｊ】本実施形態の架台の架台スタンドに便器を固定する様子を示す模式図である。
【発明を実施するための形態】
【００１７】
以下、本発明の好ましい実施形態について、図面を参照しながら説明する。図１は、本発明の一実施形態に係る便器装置１００が適用される浴室ユニット１の構成を示す図である。便器装置１００は、衛生機器の一例であり、浴室ユニット１は、ルームユニットの一例である。
【００１８】
図１に示すように、浴室ユニット１は、床部２０及び浴室パネル９１によって建物内で個別の空間を形成する。本実施形態の浴室ユニット１の内部は、仕切板４によってシャワーエリア２とトイレエリア３が区画されている。シャワーエリア２にはシャワーノズル５や排水構造６が設けられる。トイレエリア３には、便器装置１００、洗面装置８、カウンター９等が配置される。なお、図１において給水管の図示は省略している。
【００１９】
図２は、本実施形態の便器装置１００が適用される浴室ユニットの断面図である。図３は本実施形態の壁掛け便器７を支持する架台５０をカウンター９の内側から見た状態を示す図であり、図２のＡ−Ａ線断面図である。なお、本実施形態では、床から浮いている状態で支持されている便器のことを便宜上、壁掛け便器７と称して説明する。
【００２０】
図２及び図３に示すように、浴室ユニット１の床面は、床部２０によって形成されている。本実施形態の床部２０は、ＦＲＰ（Fiber-Reinforced Plastics）を成形して製造される。床部２０は、床スラブ１０との間に空間が形成されるように設置される。床スラブ１０には、壁掛け便器７に接続される排水管１２を通すための開口部１０１が形成される。排水管１２は該開口部１０１を通じてカウンター９内部を通り、壁掛け便器７に接続される。
【００２１】
壁掛け便器７は、カウンター９の内側に配置される架台５０によって床部２０から浮いた状態で支持される大便器（腰掛け便器）である。次に、架台５０の構成について説明する。図４は、本実施形態の壁掛け便器７の架台５０の平面図であり、図５は、架台５０の正面図であり、図６は、架台５０の側面図である。図７は、本実施形態の壁掛け便器７の架台５０の分解斜視図である。本実施形態の架台５０が備える架台スタンド７０の平面図である。なお、以下の説明において前後方向及び左右方向は、図５の正面視を基準とした前後方向及び左右方向である。
【００２２】
図４から図７に示すように、架台５０は、床部２０の下方に固定される架台固定部６０と、架台固定部６０に固定される架台スタンド７０と、を備える。
【００２３】
架台固定部６０の構成について説明する。架台固定部６０は、左右一対の脚部６１と、左右の脚部６１を接続する接続板６２と、から構成される。
【００２４】
左右一対の脚部６１は、前後方向に延びる金属部材である。脚部６１は、上部に位置する支持面６３及び下部に位置する設置面６５を有し、その断面形状がＨ字状になっている。なお、脚部６１の断面形状がＨ字状に限定されるわけではなく、他の形状に変更することもできる。脚部６１の支持面６３には締結孔６４が前後方向に２箇所形成される。設置面６５の前後には床スラブ１０に架台固定部６０を固定するための締結孔６６が形成される。締結孔６６は、左右方向に細長く形成される。
【００２５】
接続板６２は、左右方向に延びる細長の板状部材であり、左右の脚部６１を連結する。本実施形態では、架台固定部６０の前後二箇所に接続板６２が配置される。
【００２６】
架台スタンド７０の構成について説明する。架台スタンド７０は、左右一対の支持部７１と、底板７２と、接続板７３と、を備える。
【００２７】
左右一対の支持部７１は、上下方向に延びる金属部材である。支持部７１も、その断面形状がＨ字状に形成される。支持部７１の前面には、壁掛け便器７を固定するための支持部材８０（図９参照）を固定するための固定孔７６が形成される。
【００２８】
底板７２は、左右一対の支持部７１の下端面のそれぞれに固定される。図８に示すように、底板７２には、架台スタンド７０を架台固定部６０に固定するための締結孔７５が前後方向で２箇所形成される。本実施形態の締結孔７５は、何れも前後方向に細長い長孔となっている。
【００２９】
接続板７３は、左右一対の支持部７１を左右方向で接続する補強板である。本実施形態では、接続板７３は、架台スタンド７０上部前側、上部後側、下部前側の３箇所のそれぞれで支持部７１を左右方向に接続している。
【００３０】
図９は、本実施形態の架台５０が床部２０に設置された状態を示す斜視図である。なお、図９は、カウンター９及び排水管１２の図示が省略されている。図９に示すように、床部２０の壁１１側の端部には段差部２１が形成されており、この段差部２１の上面に開口部２５が形成される。床部２０は排水性の観点から勾配を有する場合があるが、後述する浴室パネル９１が設置される段差部２１は、その上面が水平方向に沿う面となっている。この段差部２１は、水が外側に漏れ出さないような堰としても機能する。また、架台固定部６０の脚部６１は、この床部２０の段差部２１の形状に応じた形状となっており、側面視でＴ字を上下逆にしたような形状となっている（図６参照）。
【００３１】
架台５０は、床部２０の開口部２５から架台スタンド７０が上方に突出した状態となる。架台スタンド７０の固定孔７６には、支持部材８０が固定されている。支持部材８０は、水平方向に延びる軸状の部材である。後述するカウンター９の前板９２を貫通した状態で壁掛け便器７を支持する。本実施形態の支持部材８０の周面には、ネジ溝が形成されており、壁掛け便器７の締結箇所（図示省略）に締結固定可能になっている。
【００３２】
また、本実施形態のカウンター９の内部には、洗面装置８の排水管１４等の配管が通過する配置となっている。図１０は、本実施形態の架台５０を覆うカウンター９内部の排水管１３，１４の様子を浴室ユニット１の裏側から見た図である。なお、図１０においても給水管の図示は省略している。
【００３３】
図１０に示すように、シャワーエリア２の排水構造６に接続される排水管１３は浴室パネル９１の裏側を通過する一方、洗面装置８の排水を外部に運ぶ排水管１４は、壁掛け便器７の排水管１２と同様にカウンター９内部を通過して床スラブ１０の下側に導出される。
【００３４】
また、壁掛け便器７に接続される排水管１２は、床スラブ１０、床部２０、カウンター９の内部を通ってカウンター９の外側で壁掛け便器７に接続される。カウンター９の内部では、床部２０から左右の脚部６１の間を通過した後、左右の支持部７１の間を通過するように前方に屈曲し、カウンター９の外側の壁掛け便器７に接続される。即ち、排水管１２は、架台５０の内部を通って壁掛け便器７に接続される。
【００３５】
次に、図１１Ａ〜図１１Ｊを参照して架台５０によって壁掛け便器７を支持する手順について説明する。図１１Ａ〜図１１Ｊには、浴室ユニット１の施工方法が段階的に示される。
【００３６】
図１１Ａに示すように、床スラブ１０の開口部１０１から上方に突出する排水管１２の位置に合わせて架台５０の架台固定部６０を設置する。そして、図１１Ｂに示すように、架台固定部６０を床スラブ１０にネジやビスからなる締結部材やアンカー等を用いて固定する。
【００３７】
図１１Ｃ及び図１１Ｄに示すように、開口部２５の位置を架台固定部６０の位置に合わして床部２０を床スラブ１０に設置・固定する。床部２０の床スラブ１０への固定は、コンクリート等を用いる湿式工法や機械的な固定を行う乾式工法等、適宜の方法を用いることができる。
【００３８】
図１１Ｅに示すように、架台固定部６０の壁１１側に浴室ユニット１の浴室パネル９１を配置する。なお、浴室パネル９１は、図１１Ｅに示す以外の場所にも配置され、浴室ユニット１の室内と室外を区画するように組立てられる。本実施形態の浴室パネル９１は床部２０の段差部２１の上面に固定される。
【００３９】
図１１Ｆに示すように、架台スタンド７０を架台固定部６０に載置する。次に、図１１Ｇに示すように、ネジやビスからなる締結部材５１によって架台固定部６０に架台スタンド７０を固定する。架台スタンド７０は、床部２０の開口部２５から上方に突出した状態となる（図９参照）。架台スタンド７０の締結孔７５を通じて締結される締結部材５１とナット５２によって架台固定部６０に架台スタンド７０が固定される。上述の通り、架台スタンド７０は、排水管１２が内部を通るように固定されている。本実施形態では、排水管１２と架台スタンド７０の干渉を避けるため、架台スタンド７０の下部後側には接続板７３が配置されない構造となっている。
【００４０】
図１１Ｈに示すように、架台５０の前方にカウンター９の前板９２を配置するとともに上方に天板９３を配置する。天板９３は浴室パネル９１に固定される。本実施形態では、架台スタンド７０に支持部材８０が固定された状態で前板９２が設置される。前板９２には、支持部材８０に対応する貫通孔（図示省略）が形成されており、カウンター９を組み立てた状態では該貫通孔を支持部材８０が挿通した状態で前板９２が固定される。この工程で、前板９２と壁掛け便器７の間に隙間が生じた場合は、架台固定部６０に対する架台スタンド７０の前後方向の位置調整を行う。以上の工程により、カウンター９が浴室ユニット１の室内側に組み立てられる。前板９２及び天板９３が設置されることにより、カウンター９の内部が外部から隔離された状態となる。なお、側面に板を配置する構成としてもよい。
【００４１】
図１１Ｉに示すように、前後方向に延びる支持部材８０の位置にあわせて壁掛け便器７が架台５０の架台スタンド７０に設置される。図１１Ｊに示すように、支持部材８０を介して架台スタンド７０によって壁掛け便器７が床部２０から浮いた状態で固定される。
【００４２】
上記実施形態によれば、以下のような効果を奏する。
即ち、便器装置（衛生機器装置）１００は、床スラブ１０に固定される架台固定部６０と、浴室パネル９１の室内側で架台固定部６０から上方に延出する架台スタンド７０と、架台スタンド７０によって床部２０の上方で支持される壁掛け便器（衛生機器）７と、を備える。
【００４３】
また、本実施形態の便器装置１００及び浴室ユニット１の施工方法は、床スラブ１０に架台固定部６０を設置する工程と、床スラブ１０に床部２０を設置する工程と、床部２０における架台固定部６０の背面側に浴室パネル９１を設置する工程と、浴室パネル９１の室内側で上方に延出するように架台固定部６０に架台スタンド７０を固定する工程と、架台スタンド７０によって床部２０の上方で壁掛け便器７を支持させる工程と、を含む。また、浴室パネル９１を設置する工程の後に、架台固定部６０に対する架台スタンド７０の位置調整を行う工程を含んでもよい。
【００４４】
これにより、浴室パネル９１の裏側にデッドスペースを形成することなく、壁掛け便器７を床部２０から浮かした状態で支持するための構造を実現できる。また、浴室パネル９１が壁掛け便器７を保持する強度を持っていなくもよく、既存の浴室パネル９１を用いることができる。また、浴室パネル９１の内側で架台５０が壁掛け便器７を保持しているので、浴室パネル９１等を設置して浴室ユニット１の箱組を行った後、壁掛け便器７の内装工事に取り掛かることができる。
【００４５】
また、本実施形態では、床部２０には開口部２５が形成され、架台固定部６０は、開口部２５の下側に配置され、架台スタンド７０は、架台固定部６０から開口部２５を挿通して床部２０の上方に突出する。
【００４６】
これにより、床部２０に干渉することなく、開口部２５を通じて床部２０の下方から床部２０の上方に架台スタンド７０を延出させることができる。
【００４７】
また、本実施形態では、架台固定部６０と架台スタンド７０は別体として構成され、架台固定部６０によって架台スタンド７０が支持される。
【００４８】
これにより、架台５０が２ピースの分割式となり、架台固定部６０を床スラブ１０に固定して床部２０を設置した後に架台スタンド７０を架台固定部６０に固定することができる。これによって、架台５０の位置調整や設置作業を容易に行うことができる。
【００４９】
また、本実施形態では、架台スタンド７０の底部には、壁掛け便器７が架台スタンド７０に接続される方向（前後方向）と同じ方向に延びる締結孔７５が形成され、架台スタンド７０は、締結孔７５に締結される締結部材５１によって架台固定部６０に固定される。
【００５０】
壁掛け便器７が架台スタンド７０に接続される方向（前後方向）で、架台固定部６０に対する架台スタンド７０の取付位置の調整を締結孔７５の長手方向の範囲で容易に行うことができる。上述の通り、浴室ユニット１の浴室パネル９１の内側に架台スタンド７０が配置されているので、浴室パネル９１の設置後も架台スタンド７０の位置調整を行うことができ、設置作業をより一層容易化することができる。
【００５１】
また、本実施形態の便器装置１００は、架台スタンド７０の上方に位置する天板９３及び架台スタンド７０の前側を覆う前板９２を少なくとも有するカウンター９と、架台スタンド７０に固定され、前板９２を貫通してカウンター９の外側で壁掛け便器７を支持する支持部材８０と、を備える。
【００５２】
これにより、浴室ユニット１における架台５０が配置されるスペースを使用者が物を置く等するカウンター９として機能させつつ、カウンター９の上方の空間を浴室空間として活用できる。また、本実施形態のように、カウンター９の内部の空間に、壁掛け便器７の排水管１２だけでなく洗面装置８の排水管１４を取り回すこともでき、レイアウトの自由度を向上させることができる。従来のカウンター方式においても、架台が壁パネルの外側に有る場合、位置調整を行うことができず、浴室ユニット１の壁パネル等からなる箱体及び架台を後で調整する必要がないように厳密に設置する必要があったが、本実施形態の構成によれば、浴室パネル９１の設置後も位置調整を行うことができる。
【００５３】
以上、本発明の好ましい実施形態について説明したが、本発明は、上述の実施形態に制限されるものではなく、適宜変更が可能である。例えば、上記実施形態では、浴室ユニット１がシャワーエリア２を有する構成であったが、シャワーエリア２を省略したり、シャワーエリアに接続される給水管がカウンターの内部を通過したりする等、便器装置１００や浴室ユニット１の構成を適宜変更することができる。
【００５４】
上記実施形態では、衛生機器の一例として壁掛け便器を説明し、ルームユニットの一例として浴室ユニットを説明したが、この構成に限定されない。衛生機器は、大便器や洗面器等を含む概念であり、これらの衛生機器にも本発明を当然適用できる。また、浴室ユニット以外のルームユニット、例えば洗面所等の衛星機器を備えるルームユニットにも本発明を適用できる。このように、本発明は、種々の衛星機器及びルームユニットに適用可能である。
【符号の説明】
【００５５】
１  浴室ユニット（ルームユニット）
７  壁掛け便器（衛生機器）
９  カウンター
１０  床スラブ
２０  床部
２５  開口部
５１  締結部材
６０  架台固定部
７０  架台スタンド
７５  締結孔
８０  支持部材
９１  浴室パネル（壁パネル）
９２  前板
９３  天板
１００  便器装置（衛生機器装置）
【図１】
2019090182.tif 000003
【図２】
2019090182.tif 000004
【図３】
2019090182.tif 000005
【図４】
2019090182.tif 000006
【図５】
2019090182.tif 000007
【図６】
2019090182.tif 000008
【図７】
2019090182.tif 000009
【図８】
2019090182.tif 000010
【図９】
2019090182.tif 000011
【図１０】
2019090182.tif 000012
【図１１Ａ】
2019090182.tif 000013
【図１１Ｂ】
2019090182.tif 000014
【図１１Ｃ】
2019090182.tif 000015
【図１１Ｄ】
2019090182.tif 000016
【図１１Ｅ】
2019090182.tif 000017
【図１１Ｆ】
2019090182.tif 000018
【図１１Ｇ】
2019090182.tif 000019
【図１１Ｈ】
2019090182.tif 000020
【図１１Ｉ】
2019090182.tif 000021
【図１１Ｊ】
2019090182.tif 000022